【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
主液体区画室と、首部を備える開口部とを有する容器に取り付ける前に組み立てられる閉塞装置であって、
添加液体を収容する加圧流体室を画成するキャップ部材と、
前記流体室の底壁の開口内にシール状態で係合可能なプラグ部材を有するハウジングと
を備え、
前記プラグ部材が、前記加圧流体室から離れる方向に向けられたノズルを含み、
前記キャップ部材には、前記ハウジングに設けられる対応する主係合手段と係合する主係合手段が設けられ、それにより、前記プラグ部材が前記開口を閉じる閉位置から、前記プラグ部材の少なくとも一部が前記開口から引き出される開位置へと、前記キャップ部材を前記ハウジングに対して持ち上げて、使用時に前記加圧流体室から前記ノズルを介して前記主液体区画室への連通路を形成することができる、閉塞装置。
【請求項２】
前記ハウジングが、前記開口部の首部の内側に嵌合するようになっている内側ハウジング壁を含み、前記閉塞装置が、前記加圧流体室と前記内側ハウジング壁との間をシールするシール手段を含み、
前記キャップ部材の前記主係合手段が雌ねじを含み、前記ハウジングの前記主係合手段が雄ねじを含む、請求項１に記載の閉塞装置。
【請求項３】
前記キャップ部材が、上端キャップ壁と、前記雌ねじが設けられる外側キャップ壁と、前記上端キャップ壁から前記底壁へと延び且つ前記外側キャップ壁の内側に配置される内側キャップ壁とを含み、
前記加圧流体室が、前記上端キャップ壁と、前記内側キャップ壁と、前記底壁とによって画成される、請求項２に記載の閉塞装置。
【請求項４】
前記外側ハウジング壁には、使用時に前記容器の開口部の首部に設けられる副雄ねじと螺合するようになっている副雌ねじが設けられる、請求項３に記載の閉塞装置。
【請求項５】
前記ハウジングが、使用時に前記プラグ部材が前記内側ハウジング壁の内側に配置され且つ前記加圧流体室へ向けて上方へ延びるように前記プラグ部材を支持するフレームを更に備える、請求項３または４に記載の閉塞装置。
【請求項６】
前記プラグ部材が、前記閉位置において前記加圧流体室から封止され且つ前記開位置において前記加圧流体室と流体的に連通する内部流体通路を含む、請求項１〜５のいずれか一項に記載の閉塞装置。
【請求項７】
前記プラグ部材が、前記底壁に設けられるシール手段と係合する円筒外面を含む、請求項６に記載の閉塞装置。
【請求項８】
前記シール手段が、前記キャップ部材が閉位置にあるときに前記プラグ部材の円筒外面と接触してシールする上側シールを備え、この上側シールが、前記キャップ部材が開位置にあるときに上側シールと前記プラグ部材との間で流体を通過させることができ、
前記シール手段が、前記キャップ部材が閉位置および開位置にあるときに前記プラグ部材の円筒外面と接触してシールする下側シールを備える、請求項７に記載の閉塞装置。
【請求項９】
前記プラグ部材が、前記キャップ部材が閉位置にあるときに前記上側シールよりも下側の位置で前記円筒外面へと延びる内部流体通路を含み、該内部流体通路が前記ノズルと連通する、請求項８に記載の閉塞装置。
【請求項１０】
前記キャップ部材が異物混入防止ストリップを含み、この異物混入防止ストリップが、その少なくとも一部が除去されなければ前記ハウジングに対する前記キャップ部材の上昇を妨げるように前記キャップ部材に設けられる、請求項１〜９のいずれか一項に記載の閉塞装置。
【請求項１１】
前記加圧流体室が加圧ガスのヘッドスペースを収容する、請求項１〜１０のいずれか一項に記載の閉塞装置。
【請求項１２】
主液体区画室と、首部を有する開口部と、前記開口部を閉じる請求項１〜１１のいずれか一項に記載の閉塞装置とを備える容器であって、前記閉塞装置のハウジングが当該容器の前記首部に固定される、容器。
【請求項１３】
前記ハウジングが、当該容器の前記首部の外側に配置される外側ハウジング壁を備え、前記外側ハウジング壁には、当該容器の前記首部に設けられる副雄ねじと螺合される副雌ねじが設けられている、請求項１２に記載の容器。
【請求項１４】
前記ハウジングが、当該容器の前記首部の内側に配置される内側ハウジング壁を更に備え、この内側ハウジング壁には、前記内側キャップ壁の外面と接触してシールする内部シール手段と、前記開口部の首部の内面と接触してシールする外部シール手段とが設けられる、請求項１２または１３に記載の容器。
【請求項１５】
容器の主液体区画室内へ導入するための添加液体を収容する閉塞装置を組み立てる方法であって、
キャップ部材を用意するステップと、
前記キャップ部材に対して底壁を固定して加圧流体室を画成するステップと、
前記キャップ部材を反転させて、前記底壁の開口を通じて添加液体を前記加圧流体室内へ導入するステップと、
前記加圧流体室から離れる方向に向けられたノズルを含むプラグ部材を有するハウジングを用意するステップと、
前記ハウジングおよび前記キャップ部材の相対的な軸方向移動によって前記キャップ部材に対して前記ハウジングを取り付けて、前記プラグ部材が前記加圧流体室の底壁の開口に入ってこれを閉じるようにするステップと、
前記加圧流体室を加圧する加圧ステップと、
続いて容器に取り付けるために、前記加圧流体室が添加液体を収容した状態の前記閉塞装置を保管するステップと
を含む、方法。
【請求項１６】
前記ハウジングおよび前記キャップ部材の相対的な軸方向移動が、前記キャップ部材の雌ねじと前記ハウジングの雄ねじとの螺合によって達成される、請求項１５に記載の方法。
【請求項１７】
前記加圧ステップが、前記プラグ部材の通路へ加圧流体を供給することによって達成され、前記通路が、前記加圧流体室からの加圧流体の解放を防止する弁手段と連通する、請求項１５または１６に記載の方法。
【請求項１８】
前記弁手段が、前記開口が前記プラグ部材によって閉じられるときに前記プラグ部材と係合するシールを備える、請求項１７に記載の方法。
【請求項１９】
前記加圧流体がガスであり、該ガスが、前記加圧流体室の容積の０％〜６０％となるヘッドスペースを前記加圧流体室内に形成する、請求項１７または１８に記載の方法。
【請求項２０】
主液体区画室を有する容器の首部に対して、前記ハウジングの雌ねじと前記容器の首部の雄ねじとの螺合によって前記閉塞装置を固定する更なるステップを含む、請求項１５〜１９のいずれか一項に記載の方法。
【請求項２１】
前記閉塞装置が請求項１〜１１のいずれか一項に記載の閉塞装置である、請求項１５〜２０のいずれか一項に記載の方法。
【請求項２２】
首部を備える開口部を有する容器の主液体区画室内へ添加液体を導入する方法で、
前記首部には閉塞装置が取り付けられており、該閉塞装置が、前記首部に取り付けられたハウジングと、前記ハウジングに取り付けられ加圧流体室を画成するキャップ部材とを備え、前記閉塞装置が、前記首部に取り付けられる前に、組み立てられ添加液体が充填される、方法であって、
前記キャップ部材を前記ハウジングに上昇させるステップと、
前記ハウジングに設けられるプラグ部材を、前記加圧流体室の底壁に設けられる開口が前記プラグ部材によって閉じられる閉位置から前記プラグ部材の少なくとも一部が前記開口から引き出される開位置へと前記キャップ部材に対して移動させて、前記加圧流体室から、前記プラグ部材に設けられ前記加圧流体室から離れる方向に向けられたノズルを介する前記主液体区画室への連通路を形成するステップと、
加圧された添加液体を前記加圧流体室から前記連通路に沿って前記主液体区画室内へと解放するステップと、
を備える方法。
【請求項２３】
前記ハウジングに対する前記加圧流体室の上昇中、前記容器の前記首部内に配置されるハウジングの内側ハウジング壁と前記加圧流体室との間のシールが維持される、請求項２２に記載の方法。
【請求項２４】
前記キャップ部材が、前記加圧流体室がねじ作用によって前記ハウジングに対して上昇されるように前記キャップ部材を第１の角度にわたって回転させることにより上昇される、請求項２２または２３に記載の方法。
【請求項２５】
第１の角度を越える前記キャップ部材の前記ハウジングに対する更なる回転が、前記キャップ部材および前記ハウジングに設けられる移動止め手段の相互の係合によって防止される、請求項２４に記載の方法。
【請求項２６】
前記ハウジングに対する前記キャップ部材の上昇が、前記キャップ部材の雌ねじと前記ハウジングの雄ねじとの螺合によって達成される、請求項２２〜２５のいずれか一項に記載の方法。
【請求項２７】
前記ハウジングの副雌ねじと前記容器の前記開口部の前記首部に設けられる副雄ねじとの螺合によって前記キャップ部材を更に回転させて前記キャップ部材および前記ハウジングを前記容器から取り外す更なるステップを含む、請求項２２〜２６のいずれか一項に記載の方法。
【請求項２８】
前記連通路が、前記プラグ部材の内部流体通路を含み、前記内部流体通路が、前記ノズルから、前記プラグ部材が開位置にあるときに前記流体室と連通するプラグ部材の表面上の位置へと延びる、請求項２２〜２７のいずれか一項に記載の方法。